【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
符号化された画像（２０）を有するビットストリームを復号するための装置であって、
サンプル（４０）のブロックに前記画像（２０）を細分化するように構成されたサブディバイダー（８２）と、
１つ又は複数の各ブロックのグループに前記ブロック（４０）を統合するように構成されたマージャー（８４）と、
ブロックの前記グループの単位で、前記画像（２０）の全域で異なる符号化パラメータを使用して、前記画像（２０）を復号するように構成された復号器（８６）であって、前記復号器（８６）は、前記所定のブロックに関して、前記画像（２０）を予測し、所定のブロックについての予測残差を復号し、前記予測残差と前記画像（２０）を予測することから生じる予測とを組み合わせることによって前記画像を復号するように構成される、前記復号器（８６）と、
前記ブロック（４０）の少なくともサブセットの各々のための１つ又は複数のシンタックス要素とともに、前記各ブロック（４０）が他のブロック（４０）とともに前記グループのうちの１つに統合されることになるかどうかに関してシグナリングする、前記ビットストリーム（３０）から前記予測残差および前記符号化パラメータを抽出するように構成されたエクストラクター（８８）であって、前記マージャー（８４）は、前記１つ又は複数のシンタックス要素に応答して、前記統合を実行するように構成される、前記エクストラクターとを含み、
前記１つ又は複数のシンタックス要素の可能な状態のうちの１つは、前記各ブロック（４０）が、他のブロック（４０）とともに前記グループのうちの１つに統合されることになっており、前記ビットストリーム（３０）に、符号化され、挿入された予測残差を有しないことを信号化し、
前記ブロックの少なくともサブセットの各々のための前記１つ又は複数のシンタックス要素はまた、前記各ブロックが、他のブロックとともに前記独立のセットのうちのいずれか１つに統合されることになる場合、前記各ブロックと隣接する所定の候補ブロックのうちのセットのどれを用いて、前記各ブロックが統合されることになるかをシグナリングすることを特徴とする、装置。
【請求項２】
前記装置は、符号化パラメータ候補の前記リストにおける符号化パラメータ候補の数が一定数であり、前記ブロックの少なくともサブセットの各々に関する前記１つ以上のシンタックス要素は符号化パラメータ候補の前記リストの１つの指標となるように、補助符号化パラメータ候補とともに前記各ブロックに隣接する所定の候補ブロックの前記セットに対応する符号化パラメータ候補のリストを完了するように構成されていることを特徴とする、請求項１に記載の装置。
【請求項３】
前記装置は、前記補助符号化パラメータ候補が、前記それぞれのブロックに隣接する所定の候補ブロックの前記セットに関連した符号化パラメータの組合せにより得られた結合符号化パラメータ候補からなるように構成されていることを特徴とする、請求項２に記載の装置。
【請求項４】
前記画像は、深度マップを特定する付加的な補助サンプル配列と関連することを特徴とする、請求項１〜３に記載の装置。
【請求項５】
前記画像は、付加的な情報として深度マップと関連することを特徴とする、請求項１に記載の装置。
【請求項６】
前記情報サンプルの配列は、前記画像の異なる平面と関連しているサンプル配列の１つであり、該画像の異なる平面は、互いに独立に符号化されることを特徴とする、請求項１に記載の装置。
【請求項７】
符号化された画像（２０）を有するビットストリームを復号するための方法であって、
前記方法は、前記方法を実行するようにプログラムされたコンピュータにより実行され、
前記方法は、
ブロック（４０）に前記画像（２０）を細分化し、
１つ又は複数の各ブロックのグループに前記ブロック（４０）を統合し、
ブロックの前記グループの単位で、前記画像（２０）の全域で異なる符号化パラメータを使用して、前記画像（２０）を予測し、前記所定のブロックについての予測残差を復号し、所定のブロックに関して、前記予測残差と前記画像（２０）を予測することから生じる予測とを組み合わせることによって前記画像（２０）を復号し、
前記ブロック（４０）の少なくともサブセットの各々のための１つ又は複数のシンタックス要素とともに、前記ビットストリーム（３０）から前記予測残差および前記符号化パラメータを抽出し、前記各ブロック（４０）が他のブロック（４０）とともに前記グループのうちの１つに統合されることになるかどうかに関してシグナリングし、前記統合（８４）は、前記１つ又は複数のシンタックス要素に応答して、実行され、
前記１つ又は複数のシンタックス要素の前記可能な状態のうちの１つは、前記各ブロック（４０）が、他のブロック（４０）とともに前記グループのうちの１つに統合されることになっており、前記ビットストリーム（３０）に、符号化され、挿入された予測残差を有しないことを信号化し、
前記ブロックの少なくともサブセットの各々のための前記１つ又は複数のシンタックス要素はまた、前記各ブロックが、他のブロックとともに前記独立のセットのうちのいずれか１つに統合されることになる場合、前記各ブロックと隣接する所定の候補ブロックのうちのセットのどれを用いて、前記各ブロックが統合されることになるかをシグナリングすることを特徴とする、方法。
【請求項８】
前記方法は、符号化パラメータ候補の前記リストにおける符号化パラメータ候補の数が一定数であり、前記ブロックの少なくともサブセットの各々に関する前記１つ以上のシンタックス要素は符号化パラメータ候補の前記リストの１つの指標となるように、補助符号化パラメータ候補とともに前記各ブロックに隣接する所定の候補ブロックの前記セットに対応する符号化パラメータ候補のリストを完了するように構成されていることを特徴とする、請求項７に記載の方法。
【請求項９】
前記画像は、深度マップを特定する付加的な補助サンプル配列と関連することを特徴とする、請求項７または８に記載の方法。
【請求項１０】
画像を符号化するための装置であって、
サンプルのブロックに前記画像を細分化するように構成されたサブディバイダー（７２）と、
前記ブロックを１つ又は複数のブロックのグループに統合するように構成されたマージャー（７４）と、
ブロックの前記グループの単位で、前記画像の全域で異なる符号化パラメータを使用して、前記画像を符号化するように構成された符号器（７６）であって、前記符号器（７６）は、前記画像を予測して、所定のブロックについての予測残差を符号化することによって、前記画像を符号化するように構成される、前記符号器（７６）と、
前記ブロックの少なくともサブセットの各々についての１つ又は複数のシンタックス要素とともに、前記各ブロックが他のブロックとともに前記グループのうちの１つに統合されるか否かをシグナリングする、ビットストリームに前記予測残差および前記符号化パラメータを挿入するように構成されたストリームジェネレータ（７８）とを含み、
前記１つ又は複数のシンタックス要素の可能な状態のうちの１つは、前記各ブロックが、他のブロックとともに前記グループのうちの１つに統合されることになっており、前記ビットストリームに、符号化され、挿入された予測残差を有しないことを信号化し、
前記ブロックの少なくともサブセットの各々のための前記１つ又は複数のシンタックス要素はまた、前記各ブロックが、他のブロックとともに前記独立のセットのうちのいずれか１つに統合されることになる場合、前記各ブロックと隣接する所定の候補ブロックのうちのセットのどれを用いて、前記各ブロックが統合されることになるかをシグナリングすることを特徴とする、前記装置。
【請求項１１】
前記装置は、符号化パラメータ候補の前記リストにおける符号化パラメータ候補の数が一定数であり、前記ブロックの少なくともサブセットの各々に関する１つ以上のシンタックス要素は符号化パラメータ候補の前記リストの１つの指標となるように、補助符号化パラメータ候補とともに前記各ブロックに隣接する所定の候補ブロックの前記セットに対応する符号化パラメータ候補のリストを完了するように構成されていることを特徴とする、請求項１０に記載の装置。
【請求項１２】
前記画像は、深度マップを特定する付加的な補助サンプル配列と関連することを特徴とする、請求項１０または１１に記載の装置。
【請求項１３】
前記画像は、付加的な情報として深度マップと関連することを特徴とする、請求項１０に記載の装置。
【請求項１４】
前記情報サンプルの配列は、前記画像の異なる平面と関連しているサンプル配列の１つであり、該画像の異なる平面は、互いに独立に符号化されることを特徴とする、請求項１０に記載の装置。
【請求項１５】
画像を符号化するための方法であって、前記方法は、前記方法を実行するようにプログラムされたコンピュータにより実行され、前記方法は、
サンプルのブロックに画像を細分化するステップと、
前記ブロックを１つ又は複数のブロックのグループにそれぞれ統合するステップと、
ブロックの前記グループの単位で、前記画像の全域で異なる符号化パラメータを使用して、前記画像を符号化するステップであって、前記符号化器（７６）は、前記画像を予測して、所定のブロックについての予測残差を符号化することによって、前記画像を符号化するように構成される、前記ステップと、
前記ブロックの少なくともサブセットのそれぞれについての１つ又は複数のシンタックス要素とともに、前記各ブロックが他のブロックとともに前記グループのうちの１つに統合されるか否かに関してシグナリングする、ビットストリームに、前記予測残差および前記符号化パラメータを挿入するステップと、
前記１つ又は複数のシンタックス要素の前記可能な状態のうちの１つは、前記各ブロックが、他のブロックとともに前記グループのうちの１つに統合されることになっており、前記ビットストリームに、符号化され、挿入された予測残差を有しないことを信号化し、
前記ブロックの少なくともサブセットの各々のための前記１つ又は複数のシンタックス要素はまた、前記各ブロックが、他のブロックとともに前記独立のセットのうちのいずれか１つに統合されることになる場合、前記各ブロックと隣接する所定の候補ブロックのうちのセットのどれを用いて、前記各ブロックが統合されることになるかをシグナリングすることを特徴とする、前記方法。
【請求項１６】
前記方法は、符号化パラメータ候補の前記リストにおける符号化パラメータ候補の数が一定数であり、前記ブロックの少なくともサブセットの各々に関する前記１つ以上のシンタックス要素は符号化パラメータ候補の前記リストの１つの指標となるように、補助符号化パラメータ候補とともに前記各ブロックに隣接する所定の候補ブロックの前記セットに対応する符号化パラメータ候補のリストを完了することを含むことを特徴とする、請求項１５に記載の方法。
【請求項１７】
前記画像は、深度マップを特定する付加的な補助サンプル配列と関連することを特徴とする、請求項１５または１６に記載の方法。
【請求項１８】
符号化された画像（２０）を有するデータを記憶するデジタル記憶媒体であって、
前記画像（２０）は、サンプル（４０）のブロックに細分化され、
前記ブロック（４０）は、１つ又は複数の各ブロックのグループに統合され、
前記データは、
ブロックの前記グループを単位として前記画像（２０）の全域で前記画像を符号化し、
予測を使用する符号化パラメータと、
前記予測と結合するために所定のブロックに関する予測残差と、
前記各ブロック（４０）が他のブロック（４０）とともに前記グループのうちの１つに統合されることになるかどうかに関してシグナリングし、前記マージャー（８４）は、前記１つ又は複数のシンタックス要素に応答して、前記統合を実行するように構成される、前記ブロック（４０）の少なくともサブセットの各々のための１つ又は複数のシンタックス要素と、
を含み、
前記１つ又は複数のシンタックス要素の前記可能な状態のうちの１つは、前記各ブロック（４０）が、他のブロック（４０）とともに前記グループのうちの１つに統合されることになっており、前記ビットストリーム（３０）に、符号化され、挿入された予測残差を有しないことを信号化し、
前記ブロックの少なくともサブセットの各々のための前記１つ又は複数のシンタックス要素はまた、前記各ブロックが、他のブロックとともに前記独立のセットのうちのいずれか１つに統合されることになる場合、前記各ブロックと隣接する所定の候補ブロックのうちのセットのどれを用いて、前記各ブロックが統合されることになるかをシグナリングすることを特徴とする、デジタル記憶媒体。
【請求項１９】
符号化パラメータ候補の前記リストにおける符号化パラメータ候補の数が一定数であるように、前記ブロックの少なくともサブセットの各々に関する１つ以上のシンタックス要素は、補助符号化パラメータ候補とともに前記それぞれのブロックに隣接する所定の候補ブロックの前記セットに対応する符号化パラメータ候補のリストの完了から生じる符号化パラメータ候補装置のリストの１つの指標となることを特徴とする、請求項１８に記載のデジタル記憶媒体。
【請求項２０】
前記画像は、深度マップを特定する付加的な補助サンプル配列と関連することを特徴とする、請求項１８または１９に記載のデジタル記憶媒体。
【請求項２１】
画像を符号化するための方法により符号化されたデータストリームを出力するための出力ノードであって、前記方法は、前記方法を実行するようにプログラムされたコンピュータにより実行され、前記方法は、
サンプルのブロックに画像を細分化するステップと、
前記ブロックを１つ又は複数のブロックのグループにそれぞれ統合するステップと、
ブロックの前記グループの単位で、前記画像の全域で異なる符号化パラメータを使用して、前記画像を符号化するステップであって、前記符号化器（７６）は、前記画像を予測して、所定のブロックについての予測残差を符号化することによって、前記画像を符号化するように構成される、前記ステップと、
前記ブロックの少なくともサブセットのそれぞれについての１つ又は複数のシンタックス要素とともに、前記各ブロックが他のブロックとともに前記グループのうちの１つに統合されるか否かに関してシグナリングする、ビットストリームに、前記予測残差および前記符号化パラメータを挿入するステップと、
前記１つ又は複数のシンタックス要素の前記可能な状態のうちの１つは、前記各ブロックが、他のブロックとともに前記グループのうちの１つに統合されることになっており、前記ビットストリームに、符号化され、挿入された予測残差を有しないことを信号化し、
前記ブロックの少なくともサブセットの各々のための前記１つ又は複数のシンタックス要素はまた、前記各ブロックが、他のブロックとともに前記独立のセットのうちのいずれか１つに統合されることになる場合、前記各ブロックと隣接する所定の候補ブロックのうちのセットのどれを用いて、前記各ブロックが統合されることになるかをシグナリングすることを特徴とする、出力ノード。
【請求項２２】
前記画像は、付加的な情報として深度マップと関連することを特徴とする、請求項２１に記載の出力ノード。
【請求項２３】
前記情報サンプルの配列は、前記画像の異なる平面と関連しているサンプル配列の１つであり、該画像の異なる平面は、互いに独立に符号化されることを特徴とする、請求項２１に記載の出力ノード。